(57)【要約】  椅子（１０）は、背もたれ部（１１）を有する。前記背もたれ部（１１）の一部分に開口部または凹部（１１１）が設けられており、前記開口部または凹部（１１１）の内側面に設けられた太陽電池（１１２）をさらに備える。
2019012982.tif 000002
【特許請求の範囲】
【請求項１】
背もたれ部を有し、
前記背もたれ部の一部分に開口または凹部が設けられており、
前記開口または前記凹部の内側面に設けられた太陽電池をさらに備えた、太陽電池を備えた椅子。
【請求項２】
前記背もたれ部の上面に前記凹部が設けられている、請求項１に記載の太陽電池を備えた椅子。
【請求項３】
前記凹部は、前記背もたれ部の前側内面と後側内面とにより規定され、前記後側内面に前記太陽電池が設けられている、請求項２に記載の太陽電池を備えた椅子。
【請求項４】
前記後側面は、深くなるにつれて前方向に近づくように傾斜している、請求項３に記載の太陽電池を備えた椅子。
【請求項５】
前記背もたれ部は、使用者の背中に接触する接触部材と、前記接触部材を位置決めする枠体とを有し、前記枠体と前記接触部材との間に前記開口または前記開口が設けられる、請求項１に記載の太陽電池を備えた椅子。
【請求項６】
前記背もたれ部の背面に前記凹部が設けられる、請求項１に記載の太陽電池を備えた椅子。
【請求項７】
前記凹部は、前記背もたれ部の上側内面と、前記上側内面より下に設けられた下側内面とにより規定され、前記下側内面に前記太陽電池が設けられる、請求項６に記載の太陽電池を備えた椅子。
【請求項８】
前記背もたれ部は、使用者の背中に接触する接触部材と、前記接触部材を位置決めする枠体とを有し、
前記枠体と前記座面との間に介在する支持体をさらに備え、前記支持体に前記凹部が設けられている、請求項１に記載の太陽電池を備えた椅子。
【請求項９】
前記背もたれ部は、使用者の背中に接触する接触部材と、前記接触部材を位置決めする枠体とを有し、前記枠体と前記接触部材との間に前記開口が設けられる、請求項１に記載の太陽電池を備えた椅子。
【請求項１０】
前記太陽電池は複数のセルが直列に接続されて構成されており、前記セルは長手方向に延び、前記凹部および前記開口の形状に基づく影部が前記太陽電池を覆い、前記セルの長手方向の全長に亘って前記影部が存在しないように、前記太陽電池が配置される、請求項１から９のいずれか１項に記載の太陽電池を備えた椅子。
【請求項１１】
前記開口または凹部は、前記太陽電池で利用可能な電磁波を透過する部材で覆われている、請求項１から１０のいずれか１項に記載の太陽電池を備えた椅子。
【発明の詳細な説明】
【技術分野】
【０００１】
この発明は、太陽電池を備えた椅子に関する。
【背景技術】
【０００２】
従来、太陽電池を備えた椅子は、たとえば特表２００５−５３６２５１号公報に記載されている。
【先行技術文献】
【特許文献】
【０００３】
【特許文献１】特表２００５−５３６２５１号公報
【発明の概要】
【発明が解決しようとする課題】
【０００４】
従来の技術では、椅子に太陽電池が設けられている。しかしながら、使用者が太陽電池を椅子の背面側から視認することができるため、椅子の意匠性が損なわれてしまう恐れがあった。【０００５】
そこで、この開示は上記の課題を解決するためになされたものであり、太陽電池を椅子の背面側から目立たないように配置することで椅子の意匠性を保つ、太陽電池を備えた椅子を提供することを目的とするものである。
【課題を解決するための手段】
【０００６】
この開示に従った太陽電池を備えた椅子は、背もたれ部を有する。背もたれ部の一部分に開口部または凹部が設けられており、開口部または凹部の内側面に設けられた太陽電池をさらに備える。【０００７】
このように構成された、太陽電池を備えた椅子は、開口部または凹部の内側面に設けられた太陽電池を備える。その結果、従来の椅子と比較して太陽電池を視認しにくくなる。その結果、椅子の意匠性を損なわない。【０００８】
また本開示の一つの実施形態では、背もたれ部の上面に凹部が設けられている。【０００９】
また本開示の一つの実施形態では、凹部は、背もたれ部の前側内面と後側内面とにより規定され、後側内面に太陽電池が設けられている。【００１０】
また本開示の一つの実施形態では、後側面は、深くなるにつれて前方向に近づくように傾斜している。【００１１】
また本開示の一つの実施形態では、背もたれ部は、使用者の背中に接触する接触部材と、接触部材を位置決めする枠体とを有する。枠体と接触部材との間に開口または開口が設けられる。【００１２】
また本開示の一つの実施形態では、背もたれ部の背面に凹部が設けられる。【００１３】
また本開示の一つの実施形態では、凹部は、背もたれ部の上側内面と、上側内面より下に設けられた下側内面とにより規定され、下側内面に太陽電池が設けられる。【００１４】
また本開示の一つの実施形態では、背もたれ部は、使用者の背中に接触する接触部材と、接触部材を位置決めする枠体とを有する。さらに、背もたれ部は、枠体と座面との間に介在する支持体を備える。支持体に凹部が設けられている。【００１５】
また本開示の一つの実施形態では、背もたれ部は、使用者の背中に接触する接触部材と、接触部材を位置決めする枠体とを有する。枠体と接触部材との間に開口が設けられる。【００１６】
また本開示の一つの実施形態では、太陽電池は複数のセルが直列に接続されて構成されている。それぞれのセルが長手方向に延びている。太陽電池は、凹部および開口の形状に基づく影部がそれぞれのセルの長手方向の全長に亘って存在しないように、配置される。
また本開示の一つの実施形態では、開口または凹部は、太陽電池で利用可能な電磁波を透過する部材で覆われている。
【発明の効果】
【００１７】
この発明に従えば、意匠性を保つことができる、太陽電池を備えた椅子を提供することができる。
【図面の簡単な説明】
【００１８】
【図１】実施の形態１に従った椅子の側面図である。
【図２】図１中の矢印ＩＩで示す方向から見た椅子の平面図である。
【図３】図２中のＩＩＩ−ＩＩＩ線に沿った断面図である。
【図４】図３に対応する部分の断面図であって、傾斜した凹部を示す断面図である。
【図５】図３に対応する部分の断面図であって、広い開口を有する凹部を示す断面図である。
【図６】実施の形態２に従った椅子の斜視図である。
【図７】図６中のＶＩＩ−ＶＩＩ線に沿った断面図である。
【図８】図６中の矢印ＶＩＩＩで示す方向から見た椅子の平面図である。
【図９】実施の形態３に従った椅子の側面図である。
【図１０】図９中の矢印Ｘで示す方向から見た椅子の背面図である。
【図１１】図１０中のＸＩ−ＸＩ線に沿った断面図である。
【図１２】実施の形態４に従った椅子の側面図である。
【図１３】図１２中の矢印ＸＩＩＩで示す方向から見た椅子の背面図である。
【図１４】図１３中のＸＩＶ−ＸＩＶ線に沿った断面図である。
【図１５】実施の形態５に従った椅子の斜視図である。
【図１６】実施の形態６に従った椅子の平面図である。
【図１７】図１６のＸＶＩＩ−ＸＶＩＩ線に沿った断面図である。
【図１８】実施の形態７に従った椅子の背もたれ部の断面図である。
【図１９】図１８中の影部の平面図である。
【図２０】図１８中の影部の平面図である。
【発明を実施するための形態】
【００１９】
以下、実施の形態について説明する。各実施の形態を組み合わせることも可能である。
（実施の形態１）
【００２０】
図１は、実施の形態１に従った椅子の側面図である。図２は、図１中の矢印ＩＩで示す方向から見た椅子の平面図である。図３は、図２中のＩＩＩ−ＩＩＩ線に沿った断面図である。
【００２１】
図１から図３で示すように、椅子１０は、背もたれ部１１と座面１２とを有する。背もたれ部１１の上面１１０には凹部１１１が設けられている。凹部１１１には太陽電池１１２が配置されている。
【００２２】
矢印２０１で示す方向から背もたれ部１１に光が照射される。矢印２０２で示す方向から使用者は背もたれ部１１を視認する。太陽電池１１２が、背もたれ部１１の裏面側から視認できる位置に設けられると、椅子１０の意匠性が低下する。これを防止するため、上面１１０に、椅子１０の上下方向に延びる凹部１１１を設け、凹部１１１内に太陽電池１１２を設けている。
【００２３】
凹部１１１は座面１２に近い前側内面１１１ａおよび座面１２から遠い後側内面１１１ｂにより規定されている。後側内面１１１ｂに太陽電池１１２が設けられる。
【００２４】
矢印１で示す方向が前向き方向であるため、後側から太陽電池１１２を視認することが困難となる。
【００２５】
図４は、図３に対応する部分の別の実施形態の断面図であって、傾斜した凹部を示す断面図である。図５は、図３に対応する部分の別の実施形態の断面図であって、広い開口を有する凹部を示す断面図である。
【００２６】
光は図１の矢印２０１で示すように上から照射されるため、太陽電池１１２の多くの面を露光させるためには、凹部１１１を傾斜させてその傾斜面に太陽電池１１２を設けもよい。図４で示す凹部は、図３で示す凹部よりも鉛直方向に対して大きく傾斜している。その結果、太陽電池１１２の多くの部分が露光されるために、発電量を増加させることができる。
【００２７】
後側内面１１１ｂに太陽電池１１２が設けられるため、後側内面１１１ｂは深くなるにつれて前方向に近づくように傾斜することで、太陽電池１１２に光が照射されやすくなる。太陽電池１１２が凹部１１１の開口に近い場合には、矢印７で示す方向から光が入射した場合に影部８を作りやすい。そのため、太陽電池１１２が開口から遠い方が凹部１１１内に多くの光を取り込めるため好ましい。
【００２８】
図５で示すように凹部１１１における対向する壁面を互いに反対方向に傾斜させてもよい。この場合、凹部１１１の底の幅（図５の左右方向の幅）は凹部１１１の開口の面積よりも小さくなる。なお、図３および図４では、凹部１１１の底の幅は凹部１１１の開口の幅略等しい。
【００２９】
図５で示すように、凹部１１１の開口面積が広いと、上からだけでなく前からの光が太陽電池１１２に照射される。そのため、太陽電池１１２における発電量をさらに増加させることができる。
【００３０】
さらに、凹部１１１の開口面積が広いと、凹部１１１に太陽電池１１２を取り付けやすくなるため、作業性を向上させることができる。開口面積の大きさは、特に限定されないが、例えば１ｃｍ×３ｃｍ、太陽電池１１２が複数のセルを直列に接続している場合や、取り付けやすさを考慮すると、５ｃｍ×２０ｃｍ以上が好ましい。形は長方形でなくても良く、各辺が曲線で形成されていても良い。
【００３１】
凹部１１１を形成する壁面または底面は、複数の突起列が配されていてもよい。複数の突起列に含まれる１つの突起の高さは、凹部１１１を形成する壁面のまたは底面の基準面から０．１ｍｍ〜１ｍｍであることが好ましい。また、複数の突起列に含まれる１つの突起の壁面または底面の基準面と水平な断面の長径は０．１ｍｍ〜２ｍｍであることが好ましい。このような複数の突起列を有することで、凹部１１１に入射した光が凹部１１１内で散乱し、太陽電池１１２の受光面の照度が向上する。
【００３２】
凹部１１１を形成する壁面または底面の色は光を反射しやすい明るい色が好ましい。凹部１１１を形成する壁面または底面の色は可視光線の反射率が３０％以上９９．９％以下、より好ましくは７０％以上９９．９％以下であることが好ましい。可視光領域の反射率が大きければ、凹部１１１に入射した光が凹部１１１内で散乱し、太陽電池１１２の受光面の照度が向上する。
（実施の形態２）
【００３３】
図６は、実施の形態２に従った椅子の斜視図である。図７は、図６中のＶＩＩ−ＶＩＩ線に沿った断面図である。図８は、図６中の矢印ＶＩＩＩで示す方向から見た椅子の平面図である。
【００３４】
図６から図８で示すように、実施の形態２に従った椅子の背もたれ部は、枠体１１６と、枠体１１６に支持される接触部材１１５を有する。枠体１１６と接触部材１１５との間に開口１１４が形成されている。
【００３５】
接触部材１１５は、例えば織物、空孔を有する材料などにより構成される。座面１２に着座した使用者の背中に接触部材１１５が当接する。
【００３６】
接触部材１１５が弾性を有することで接触部材１１５が使用者の背中にフィットした形状となる。
【００３７】
枠体１１６は、接触部材１１５を支持して接触部材１１５を位置決めする役割を有する。
【００３８】
枠体１１６と接触部材１１５との間の開口の枠体１１６表面に太陽電池１１２が設けられている。太陽電池１１２の後側に枠体１１６が設けられているため、太陽電池１１２を後側から視認することが困難である。
【００３９】
この実施の形態では使用者と接触する部分に網目状構造の接触部材１１５を用いたが、この部分は、たとえば、板材、フィルムなどのような、網目でない構造であってもよい。
【００４０】
背もたれ部は、使用者の背中に接触する接触部材と、接触部材を位置決めする枠体とを有し、枠体と接触部材との間に開口が設けられる。
【００４１】
この実施の形態では、背もたれ部１１の上部を支持する枠体１１６と接触部材１１５との間に太陽電池１１２を設けたが、他の部分、例えば、枠体１１６の下部分の開口に太陽電池１１２を設けてもよい。
（実施の形態３）
【００４２】
図９は、実施の形態３に従った椅子の側面図である。図１０は、図９中の矢印Ｘで示す方向から見た椅子の背面図である。図１１は、図１０中のＸＩ−ＸＩ線に沿った断面図である。
【００４３】
図９から図１１で示すように、実施の形態３に従った椅子１０では、背もたれ部１１の背面１１９に凹部１１１が設けられている。凹部１１１は横方向に延びる、スリットのような形状である。凹部１１１において、開口から凹部の内部に進むにつれて壁面が下方向に延びるように凹部１１１は形成されている。
【００４４】
凹部１１１は、背もたれ部１１の上側内面１１１ｃと、上側内面１１１ｃより下に設けられた下側内面１１１ｄとにより規定され、下側内面１１１ｄに太陽電池１１２が設けられる。
【００４５】
これは、矢印２０２で示す方向からの使用者の視線を考慮して、太陽電池１１２を視認困難とするためである。
【００４６】
これに対して、矢印２０１で示す方向の光が太陽電池１１２に照射されるため、太陽電池１１２において発電をすることができる。
（実施の形態４）
【００４７】
図１２は、実施の形態４に従った椅子の側面図である。図１３は、図１２中の矢印ＸＩＩＩで示す方向から見た椅子の背面図である。図１４は、図１３中のＸＩＶ−ＸＩＶ線に沿った断面図である。
【００４８】
図１２から図１４で示すように、実施の形態４に従った椅子１０では、枠体を支持する支持体１１７により構成される凹部１１１に太陽電池１１２が設けられている。人が背もたれ部１１に体重をかけて姿勢を変えることができるように、枠体１１６を支持する支持体１１７が柔軟性を有する材料で構成されている。この実施の形態では支持体１１７が枠体１１６と連続して設けられている構成を開示しているが、枠体１１６と支持体１１７とが別部材となり、枠体１１６が支持体１１７に対して回動可能とされていてもよい。
【００４９】
支持体１１７は、背もたれ部１１と、座面１２との間に介在する。支持体１１７は、枠体１１６および座面１２を支持する。支持体１１７に凹部１１１が設けられている。その凹部１１１に太陽電池１１２を設けることによって、椅子１０の背面側に立つ人からは太陽電池１１２が見えにくくなる。これに対して太陽電池１１２の受光面には光が届くため、太陽電池１１２により発電をすることができる。
（実施の形態５）
【００５０】
図１５は、実施の形態５に従った椅子の斜視図である。図１５で示すように、実施の形態５に従った椅子１０では、枠体１１６が凹部１１１を構成する。背もたれ部１１の側面を支持する枠体１１６と、背もたれ部１１において使用者の背中と接触する接触部材１１５との間に凹部１１１が形成されている。この凹部１１１に太陽電池１１２が設けられている。
（実施の形態６）
【００５１】
図１６は、実施の形態６に従った椅子の平面図である。図１７は、図１６のＸＶＩＩ−ＸＶＩＩ線に沿った断面図である。
【００５２】
図１６および図１７で示すように、実施の形態６に従った椅子１０では、背もたれ部１１の上面１１０に複数のスリット形状の凹部１１１が形成されている。この実施の形態では、６つの凹部１１１が設けられている。
【００５３】
各々の凹部１１１は、図１６の紙面上における椅子１０の上下方向（背もたれ部１１の上面部分の長手方向）に対して傾斜して延びている。これは上から太陽電池１１２に光が照射された場合には太陽電池１１２において光が照射される面積を増加させるためである。
（実施の形態７）
【００５４】
図１８は、実施の形態７に従った椅子の背もたれ部の断面図である。図１９および図２０は、図１８中の太陽電池の影部を説明するための平面図である。太陽電池１１２は複数のセル１１２１が直列に接続されることで構成されている。各々のセル１１２１は長方形である。各々のセル１１２１は色素増感太陽電池の単セルにより構成されている。
【００５５】
図１９で示すように各セル１１２１の一部分が影部１１２０で覆われる場合と、図２０で示すように一部のセル１１２１のすべてが影部１１２０で覆われる場合とを比較すると、図１９のほうが太陽電池１１２の出力電流が大きくなる。図１９の配置は、影部１１２０の影響を最小限に抑えることができるため、最も好ましい。すなわち、図１９のように、セル１１２１の長手方向の全長に亘って影部１１２０が存在しないように、太陽電池１１２が配置されることがこのましい。
【００５６】
以上、この発明の実施の形態について説明したが、ここで示した実施の形態はさまざまに変更することが可能である。
【００５７】
まず凹部１１１および開口１１４を構成する面の色は、光を反射させやすいように反射率または散乱率が高いものであることが好ましい。さらに、椅子１０にキャスターおよび肘掛があっても無くてもよい。開口１１４または凹部１１１は、太陽電池１１２で利用可能な電磁波を透過する部材で覆われていてもよい。この場合、開口１１４または凹部１１１内の太陽電池１１２が当該部材で隠されるため、意匠性を損なうことがない。
【００５８】
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【００５９】
本国際出願は、２０１７年７月１４日に日本国特許出願第２０１７−１３８１７６号に基づく優先権を主張するものであり、日本国特許出願第２０１７−１３８１７６号の全内容を参照により本国際出願に援用する。
【符号の説明】
【００６０】
１０  椅子、１１  背もたれ部、１２  座面、１１０  上面、１１１  凹部、１１１ａ  前側内面、１１１ｂ  後側内面、１１１ｃ  上側内面、１１１ｄ  下側内面、１１２  太陽電池、１１４  開口、１１５  接触部材、１１６  枠体、１１７  支持体、１１９  背面、１１２０  影部、１１２１  セル。
【図１】
2019012982.tif 000003
【図２】
2019012982.tif 000004
【図３】
2019012982.tif 000005
【図４】
2019012982.tif 000006
【図５】
2019012982.tif 000007
【図６】
2019012982.tif 000008
【図７】
2019012982.tif 000009
【図８】
2019012982.tif 000010
【図９】
2019012982.tif 000011
【図１０】
2019012982.tif 000012
【図１１】
2019012982.tif 000013
【図１２】
2019012982.tif 000014
【図１３】
2019012982.tif 000015
【図１４】
2019012982.tif 000016
【図１５】
2019012982.tif 000017
【図１６】
2019012982.tif 000018
【図１７】
2019012982.tif 000019
【図１８】
2019012982.tif 000020
【図１９】
2019012982.tif 000021
【図２０】
2019012982.tif 000022
【国際調査報告】
2019012982.tif 000023
2019012982.tif 000024
2019012982.tif 000025
2019012982.tif 000026